【手続補正書】
【提出日】平成28年3月8日(2016.3.8)
【手続補正１】
【補正対象書類名】明細書
【補正対象項目名】発明の名称
【補正方法】変更
【補正の内容】
【発明の名称】情報処理装置、情報処理方法、システム
【手続補正２】
【補正対象書類名】明細書
【補正対象項目名】００１１
【補正方法】変更
【補正の内容】
【００１１】
本発明の目的を達成するために、例えば、本発明の情報処理装置は、指定された縮尺の地図画像と該縮尺に関連付けられているオブジェクトとを合成して表示する情報処理装置であって、
オブジェクトごとに、該オブジェクトに関連付けられている地図画像の縮尺と、該地図画像においてオブジェクトを表示する位置情報と、を関連付けて保持する第１の保持手段と、
それぞれの位置情報に対する入力状態を記録し、該記録された入力状態と該位置情報とを関連付けて保持する第２の保持手段と、
前記入力状態が所定の条件を満たす位置情報と関連づけて前記第１の保持手段に保持されているオブジェクトを、前記第１の保持手段で該オブジェクトと関連付けられている地図画像の縮尺よりも縮小率が小さく広域を表す縮尺の地図画像に合成して表示する表示手段と
を備えることを特徴とする。
【手続補正３】
【補正対象書類名】特許請求の範囲
【補正対象項目名】全文
【補正方法】変更
【補正の内容】
【特許請求の範囲】
【請求項１】
指定された縮尺の地図画像と該縮尺に関連付けられているオブジェクトとを合成して表示する情報処理装置であって、
オブジェクトごとに、該オブジェクトに関連付けられている地図画像の縮尺と、該地図画像においてオブジェクトを表示する位置情報と、を関連付けて保持する第１の保持手段と、
それぞれの位置情報に対する入力状態を記録し、該記録された入力状態と該位置情報とを関連付けて保持する第２の保持手段と、
前記入力状態が所定の条件を満たす位置情報と関連づけて前記第１の保持手段に保持されているオブジェクトを、前記第１の保持手段で該オブジェクトと関連付けられている地図画像の縮尺よりも縮小率が小さく広域を表す縮尺の地図画像に合成して表示する表示手段と
を備えることを特徴とする情報処理装置。
【請求項２】
前記第２の保持手段は、それぞれの位置情報に対する入力を行ったユーザを識別するための識別情報をさらに関連付けて保持し、
前記表示手段は、前記入力状態が所定の条件を満たす位置情報が存在するか否かを前記識別情報ごとに判定し、所定の条件を満たす位置情報と関連づけて前記第１の保持手段に保持されているオブジェクトを、前記第１の保持手段で該オブジェクトと関連付けられている地図画像の縮尺よりも広域を表す縮尺の地図画像に合成して表示することを特徴とする請求項１記載の情報処理装置。
【請求項３】
前記表示手段は、前回に関連付けた地図画像の縮尺と前記第１の保持手段が関連付けている地図画像の縮尺との差に基づいて、前記オブジェクトをさらに広域を表す縮尺の地図画像に表示させることを特徴とする請求項１記載の情報処理装置。
【請求項４】
前記表示手段は、前記指定された縮尺の地図画像に、前記第１の保持手段が保持しているオブジェクトと、前記入力状態が所定の条件を満たす位置情報と関連づけて前記第１の保持手段に保持されているオブジェクトと、を互いに異なる表示形態で表示させることを特徴とする請求項１記載の情報処理装置。
【請求項５】
前記表示手段は、前記第１の保持手段が保持しているオブジェクトのうち、所定の条件を満たす位置情報と関連づけて前記第１の保持手段に保持されているオブジェクトに関連するカテゴリに属すると予め設定されているオブジェクトを、前記指定された縮尺の地図画像に合成して表示させることを特徴とする請求項１記載の情報処理装置。
【請求項６】
前記オブジェクトは、地名であることを特徴とする請求項１記載の情報処理装置。
【請求項７】
前記オブジェクトは、ランドマークの名称であることを特徴とする請求項１記載の情報処理装置。
【請求項８】
前記位置情報は、緯度と経度との組み合わせで表現されることを特徴とする請求項１記載の情報処理装置。
【請求項９】
前記入力状態は、前記位置情報で表される位置で撮影された画像の前記情報処理装置への入力回数であることを特徴とする請求項１記載の情報処理装置。
【請求項１０】
前記表示手段は、前記表示手段が前回に表示した地図画像の縮尺と前記第１の保持手段が関連付けている地図画像の縮尺との差を用いて、今回の表示を行うか否かを判断することを特徴とする請求項１記載の情報処理装置。
【請求項１１】
指定された縮尺の地図画像と該縮尺に関連付けられているオブジェクトとを合成して表示する情報処理装置が行う情報処理方法であって、
前記情報処理装置の第１の保持手段が、オブジェクトごとに、該オブジェクトに関連付けられている地図画像の縮尺と、該地図画像においてオブジェクトを表示する位置情報と、を関連付けて第１のメモリに保持する第１の保持工程と、
前記情報処理装置の第２の保持手段が、それぞれの位置情報に対する入力状態を記録し、該記録された入力状態と該位置情報とを関連付けて第２のメモリに保持する第２の保持工程と、
前記情報処理装置の表示手段が、前記入力状態が所定の条件を満たす位置情報と関連づけて前記第１のメモリに保持されているオブジェクトを、前記第１のメモリで該オブジェクトと関連付けられている地図画像の縮尺よりも縮小率が低く広域を表す縮尺の地図画像に合成して表示する表示工程と
を備えることを特徴とする情報処理方法。
【請求項１２】
コンピュータを請求項１乃至１０の何れか１項に記載の情報処理装置の各手段として機能させるためのコンピュータプログラム。
【請求項１３】
ネットワークを介した要求に応じて地図画像を提供する情報処理装置であって、
オブジェクトごとに、該オブジェクトに関連付いた地図画像の縮尺と該地図画像においてオブジェクトを表示する位置情報とを関連付けて保持する第１の保持手段と、
それぞれの位置情報に対する入力状態をネットワークを介して取得し、該取得された入力状態と該位置情報とを関連付けて保持する第２の保持手段と、
前記第１の保持手段では、前記入力状態が所定の条件を満たす位置情報と関連づけて前記第１の保持手段に保持されているオブジェクトを、前記第１の保持手段で該オブジェクトと関連付けられている地図画像の縮尺よりも広域を表す縮尺の地図画像に関連付けて保持するように更新する更新手段と
を備えることを特徴とする情報処理装置。
【請求項１４】
ネットワークを介した要求に応じて地図画像を提供する情報処理装置が行う情報処理方法であって、
前記情報処理装置の第１の保持手段が、オブジェクトごとに、該オブジェクトに関連付いた地図画像の縮尺と該地図画像においてオブジェクトを表示する位置情報とを関連付けて第１のメモリに保持する第１の保持工程と、
前記情報処理装置の第２の保持手段が、それぞれの位置情報に対する入力状態をネットワークを介して取得し、該取得された入力状態と該位置情報とを関連付けて第２のメモリに保持する第２の保持工程と、
前記情報処理装置の更新手段が、前記第１の保持工程では、前記入力状態が所定の条件を満たす位置情報と関連づけて前記第１のメモリに保持されているオブジェクトを、前記第１のメモリで該オブジェクトと関連付けられている地図画像の縮尺よりも広域を表す縮尺の地図画像に関連付けて保持するように更新する更新工程と
を備えることを特徴とする情報処理方法。
【請求項１５】
指定された縮尺の地図画像と該縮尺に関連付けられているオブジェクトとを合成して表示するシステムであって、
オブジェクトごとに、該オブジェクトに関連付けられている地図画像の縮尺と、該地図画像においてオブジェクトを表示する位置情報と、を関連付けて保持する第１の保持手段と、
それぞれの位置情報に対する入力状態を記録し、該記録された入力状態と該位置情報とを関連付けて保持する第２の保持手段と、
前記入力状態が所定の条件を満たす位置情報と関連づけて前記第１の保持手段に保持されているオブジェクトを、前記第１の保持手段で該オブジェクトと関連付けられている地図画像の縮尺よりも縮小率が小さく広域を表す縮尺の地図画像に合成して表示する表示手段と
を備えることを特徴とするシステム。
【請求項１６】
ネットワークを介した要求に応じて地図画像を提供するシステムであって、
オブジェクトごとに、該オブジェクトに関連付いた地図画像の縮尺と該地図画像においてオブジェクトを表示する位置情報とを関連付けて保持する第１の保持手段と、
それぞれの位置情報に対する入力状態をネットワークを介して取得し、該取得された入力状態と該位置情報とを関連付けて保持する第２の保持手段と、
前記第１の保持手段では、前記入力状態が所定の条件を満たす位置情報と関連づけて前記第１の保持手段に保持されているオブジェクトを、前記第１の保持手段で該オブジェクトと関連付けられている地図画像の縮尺よりも広域を表す縮尺の地図画像に関連付けて保持するように更新する更新手段と
を備えることを特徴とするシステム。
【請求項１７】
コンピュータを請求項１３に記載の情報処理装置の各手段として機能させるためのコンピュータプログラム。
【請求項１８】
指定された縮尺の地図画像と該縮尺に関連付けられているオブジェクトとを合成して表示する情報処理装置であって、
オブジェクトごとに、該オブジェクトに関連付けられている地図画像の縮尺と、該地図画像においてオブジェクトを表示する位置情報と、を関連付けて保持する第１の保持手段と、
それぞれの位置情報に対する入力状態を記録し、該記録された入力状態と該位置情報とを関連付けて保持する第２の保持手段と、
異なる縮尺の地図画像の夫々について、対応する位置に存在する前記オブジェクトをリンクオブジェクトとして保持する第３の保持手段と、
前記入力状態が所定の条件を満たす位置情報に関連付けて前記第１の保持手段に保持されているオブジェクトのリンクオブジェクトのうち、前記第１の保持手段で該オブジェクトと関連付けられている地図画像の縮尺よりも縮尺率が小さく広域を表す地図画像に関連付けられているオブジェクトを強調して合成表示する表示手段と
を備えることを特徴とする情報処理装置。
【請求項１９】
指定された縮尺の地図上に、該縮尺と関連付けられているオブジェクトを合成して表示する情報処理装置であって、
前記地図上の位置が指定されるたびに、該位置に対する指定回数をカウントアップし、該指定回数を該位置及び該地図と関連付けて管理する管理手段と、
前記地図上の着目位置に対する指定回数が閾値を超えた場合には、前記縮尺よりも小さい縮尺を有し且つ前記地図が表す地域を含む広域地図と、前記閾値よりも大きい指定回数と、に関連付けて前記管理手段が管理している位置を特定する特定手段と、
前記特定手段が特定した位置のうち１つを選択し、前記地図において該選択した位置のオブジェクトを、該地図における対象オブジェクトとして登録すると共に、該対象オブジェクトを該地図上で強調表示する表示手段と
を備えることを特徴とする情報処理装置。
【請求項２０】
前記表示手段は、
前記特定手段が特定した位置のうち、前記地図上の前記着目位置に最も近い位置を選択し、前記地図において該選択した位置のオブジェクトを、該地図における対象オブジェクトとして登録すると共に、該対象オブジェクトを該地図上で強調表示する
ことを特徴とする請求項１９に記載の情報処理装置。
【請求項２１】
前記表示手段は、
前記特定手段が特定した位置のうち、前記地図上の前記着目位置におけるオブジェクトのオブジェクト名と類似するオブジェクト名を有するオブジェクトの位置を選択し、前記地図において該選択した位置のオブジェクトを、該地図における対象オブジェクトとして登録すると共に、該対象オブジェクトを該地図上で強調表示する
ことを特徴とする請求項１９に記載の情報処理装置。
【請求項２２】
前記表示手段は、
前記地図よりも大きい縮尺を有し且つ該地図が表す地域内の詳細地図における対象オブジェクトとして登録されているオブジェクトを、前記地図上で表示することを特徴とする請求項１９に記載の情報処理装置。
【請求項２３】
指定された縮尺の地図画像と該縮尺に関連付けられているオブジェクトとを合成して表示する情報処理装置が行う情報処理方法であって、
前記情報処理装置の第１の保持手段が、オブジェクトごとに、該オブジェクトに関連付けられている地図画像の縮尺と、該地図画像においてオブジェクトを表示する位置情報と、を関連付けて保持する第１の保持工程と、
前記情報処理装置の第２の保持手段が、それぞれの位置情報に対する入力状態を記録し、該記録された入力状態と該位置情報とを関連付けて保持する第２の保持工程と、
前記情報処理装置の第３の保持手段が、異なる縮尺の地図画像の夫々について、対応する位置に存在する前記オブジェクトをリンクオブジェクトとして保持する第３の保持工程と、
前記情報処理装置の表示手段が、前記入力状態が所定の条件を満たす位置情報に関連付けて前記第１の保持工程で保持されているオブジェクトのリンクオブジェクトのうち、前記第１の保持工程で該オブジェクトと関連付けられている地図画像の縮尺よりも縮尺率が小さく広域を表す地図画像に関連付けられているオブジェクトを強調して合成表示する表示工程と
を備えることを特徴とする情報処理方法。
【請求項２４】
指定された縮尺の地図上に、該縮尺と関連付けられているオブジェクトを合成して表示する情報処理装置が行う情報処理方法であって、
前記情報処理装置の管理手段が、前記地図上の位置が指定されるたびに、該位置に対する指定回数をカウントアップし、該指定回数を該位置及び該地図と関連付けて管理する管理工程と、
前記情報処理装置の特定手段が、前記地図上の着目位置に対する指定回数が閾値を超えた場合には、前記縮尺よりも小さい縮尺を有し且つ前記地図が表す地域を含む広域地図と、前記閾値よりも大きい指定回数と、に関連付けて前記管理工程で管理している位置を特定する特定工程と、
前記情報処理装置の表示手段が、前記特定工程で特定した位置のうち１つを選択し、前記地図において該選択した位置のオブジェクトを、該地図における対象オブジェクトとして登録すると共に、該対象オブジェクトを該地図上で強調表示する表示工程と
を備えることを特徴とする情報処理方法。
【請求項２５】
指定された縮尺の地図画像と該縮尺に関連付けられているオブジェクトとを合成して表示するシステムであって、
オブジェクトごとに、該オブジェクトに関連付けられている地図画像の縮尺と、該地図画像においてオブジェクトを表示する位置情報と、を関連付けて保持する第１の保持手段と、
それぞれの位置情報に対する入力状態を記録し、該記録された入力状態と該位置情報とを関連付けて保持する第２の保持手段と、
異なる縮尺の地図画像の夫々について、対応する位置に存在する前記オブジェクトをリンクオブジェクトとして保持する第３の保持手段と、
前記入力状態が所定の条件を満たす位置情報に関連付けて前記第１の保持手段に保持されているオブジェクトのリンクオブジェクトのうち、前記第１の保持手段で該オブジェクトと関連付けられている地図画像の縮尺よりも縮尺率が小さく広域を表す地図画像に関連付けられているオブジェクトを強調して合成表示する表示手段と
を備えることを特徴とするシステム。
【請求項２６】
指定された縮尺の地図上に、該縮尺と関連付けられているオブジェクトを合成して表示するシステムであって、
前記地図上の位置が指定されるたびに、該位置に対する指定回数をカウントアップし、該指定回数を該位置及び該地図と関連付けて管理する管理手段と、
前記地図上の着目位置に対する指定回数が閾値を超えた場合には、前記縮尺よりも小さい縮尺を有し且つ前記地図が表す地域を含む広域地図と、前記閾値よりも大きい指定回数と、に関連付けて前記管理手段が管理している位置を特定する特定手段と、
前記特定手段が特定した位置のうち１つを選択し、前記地図において該選択した位置のオブジェクトを、該地図における対象オブジェクトとして登録すると共に、該対象オブジェクトを該地図上で強調表示する表示手段と
を備えることを特徴とするシステム。
【請求項２７】
コンピュータを、請求項１８に記載の情報処理装置の各手段として機能させるためのコンピュータプログラム。
【請求項２８】
コンピュータを、請求項１９に記載の情報処理装置の各手段として機能させるためのコンピュータプログラム。